(57)【特許請求の範囲】
【請求項１】
ＡＬＬ  ＩＰ通信網の物理層から受信したデータグラムをPPP(point-to point protocol)によってネットワーク階層に伝送するPPP(point-to-point protocol)セッションを有する装置におけるデータグラムを伝送する方法において、
少なくとも二つの前記PPPセッションを設定する第1ステップと、
前記物理層から受信したデータグラムの各々を前記少なくとも二つのPPPセッションに応じて区分して該当するPPPセッションに伝送する第2ステップと、
前記少なくとも二つのPPPセッションの各々により受信したデータグラムを処理する第3ステップと、
前記第3ステップで処理されたデータグラムの中で該当するデータグラムを選択して、前記ネットワーク階層と前記少なくとも二つのPPPセッションとの間に設定された一対多(1:N)連結を介して、前記ネットワーク階層に伝送する第4ステップと、
を有することを特徴とするデータグラムの伝送方法。
【請求項２】
前記第3ステップは、前記物理層から受信したデータグラムを逆カプセル化するステップを有することを特徴とする請求項1に記載のデータグラムの伝送方法。
【請求項３】
前記第4ステップは、
前記逆カプセル化されたデータグラムを受信して比較する第5ステップと、
前記第5ステップでの比較結果、問題のあるデータグラムは破棄する第6ステップと
を有することを特徴とする請求項2に記載のデータグラムの伝送方法。
【請求項４】
ＡＬＬ  ＩＰ通信網の物理層から受信したデータグラムをPPP(point-to point protocol)によってネットワーク階層に伝送するPPP(point-to-point protocol)セッションを有する装置におけるデータグラムを伝送する方法を実現させるためのプログラムを記録したコンピュータで読み出すことのできる記録媒体において、
前記方法が、
少なくとも二つの前記PPPセッションを設定する第1ステップと、
前記物理層から受信したデータグラムの各々を前記少なくとも二つのPPPセッションに応じて区分して該当するPPPセッションに伝送する第2ステップと、
前記少なくとも二つのPPPセッションの各々により受信したデータグラムを処理する第3ステップと、
前記第3ステップで処理されたデータグラムの中で該当するデータグラムを選択して、前記ネットワーク階層と前記少なくとも二つのPPPセッションとの間に設定された一対多(1:N)連結を介して、前記ネットワーク階層に伝送する第4ステップと、
を有することを特徴とする、コンピュータで読み出すことのできる記録媒体。
【請求項５】
ＡＬＬ  ＩＰ通信網の物理層から受信したデータグラムをPPP(point-to point protocol)によってネットワーク階層に伝送するPPP(point-to point protocol)セッションを有する装置において、
複数の前記PPPセッションを有するPPPセッション部と、
前記PPPセッション部の上部に階層的に位置し、前記PPPセッション部から伝送されるデータグラムの中で該当するデータグラムを選択して、前記ネットワーク階層と前記PPPセッションとの間に設定された一対多連結を介して、前記ネットワーク階層に伝送する第1管理プレーンと、
前記PPPセッション部の下部に階層的に位置し、前記物理層から受信した前記データグラムを区分して前記データグラムの各々を前記PPPセッション部の中で前記データグラムに該当するPPPセッションの一つに伝送する第2管理プレーンと、
を有することを特徴とするデータグラムの伝送装置。
【請求項６】
前記PPPセッション部は、前記第2管理プレーンから受信したデータグラムを逆カプセル化することを特徴とする請求項5に記載のデータグラムの伝送装置。
【請求項７】
前記第1管理プレーンは、前記PPPセッション部から受信した逆カプセル化されたデータグラムを相互比較して、誤りのあるデータグラムは破棄することを特徴とする請求項6に記載のデータグラムの伝送装置。
【請求項８】
二つの地点間のプロトコルにおける多重連結を設定する装置に適用される多重連結方法において、
デッド(dead)状態でユーザの連結要求を受信すれば、設定(Establish)状態に遷移する第1ステップと、
前記設定状態でリンク制御プロトコル(link control protocol)を使用してリンク設定を行ってリンク設定に失敗すれば、前記デッド状態に遷移し、リンク設定に成功すれば、ネットワーク状態に遷移する第2ステップと、
前記ネットワーク状態でネットワーク制御プロトコルを利用して上位階層メッセージを伝送した後、伝送が完了すれば、終了状態に遷移する第3ステップと、
無線通信網でソフトハンドオフ(Soft Handoff)が可能にするために、前記ネットワーク状態で新しい連結要求を受信すれば、サブ状態(Sub-State)を駆動して多重処理を行って一対多(1:N)の連結が可能にする第4ステップと、
前記終了状態で多重連結された数ほど繰り返して連結を切った後に、前記デッド状態に遷移する第5ステップと
を有することを特徴とする二つの地点間のプロトコルにおける多重連結方法。
【請求項９】
前記リンク設定に成功すれば、ユーザの連結設定に対して認証を行って、認証が失敗すれば、終了状態に遷移し、認証が成功的に行われば、ネットワーク状態に遷移する第6ステップを さらに有することを特徴とする請求項8に記載の二つの地点間のプロトコルにおける多重連結方法。
【請求項１０】
前記第4ステップで、前記サブ状態は、タイムスケジューラ(time scheduler)から受信した制御信号に応じて駆動することを特徴とする請求項8に記載の二つの地点間のプロトコルにおける多重連結方法。
【請求項１１】
前記第4ステップで、前記サブ状態を駆動して多重処理を行う過程は、
前記ネットワーク状態で新しい連結要求を受信すれば、サブ設定状態でリンク制御プロトコル(link control protocol)を使用して新しいリンク設定を行って、リンク設定に失敗すれば、前記ネットワーク状態に遷移し、リンク設定に成功すれば、サブ認証状態に遷移する第7ステップと、
前記サブ認証状態で新しい連結設定要求に対して認証し、前記ネットワーク状態に遷移する第8ステップと、
複数個で連結されている前記ネットワーク状態で連結解除要請を受信すれば、サブ終了状態を駆動して連結を切る第9ステップと
を有することを特徴とする請求項8に記載の二つの地点間のプロトコルにおける多重連結方法。
【請求項１２】
前記第4ステップで、前記サブ状態を駆動して多重処理を行う過程は、
前記ネットワーク状態で新しい連結要求を受信すれば、サブ設定状態でリンク制御プロトコルを用いて新しいリンク設定を行う第7ステップと、
複数個で連結されている前記ネットワーク状態で連結解除要請を受信すれば、サブ終了状態を駆動して連結を切る第8ステップと
を有することを特徴とする請求項9に記載の二つの地点間のプロトコルにおける多重連結方法。
【請求項１３】
プロセッサを備えた二つの地点間のプロトコルの多重処理を利用する多重連結装置に、
デッド(dead)状態でユーザの連結要求を受信すれば、設定状態に遷移する第1機能と、
前記設定状態でリンク制御プロトコルを使用してリンク設定を行って、リンク設定に失敗すれば、前記デッド状態に遷移し、リンク設定に成功すれば、ネットワーク状態に遷移する第2機能と、
前記ネットワーク状態でネットワーク制御プロトコルを利用して上位階層メッセージを伝送した後に、伝送が完了すれば、終了状態に遷移する第3機能と、
無線通信網におけるソフトハンドオフを可能にするために、前記ネットワーク状態で新しい連結要求を受信すれば、サブ状態(Sub-State)を駆動して多重処理を行って一対多(1:N)連結が可能にする第4機能と、
前記終了状態で多重連結された数ほど繰り返して連結を切った後に、前記デッド状態に遷移する第5機能と
を実現させるためのプログラムを記録したコンピュータで読み出すことのできる記録媒体。
【請求項１４】
二つの地点間のプロトコルを利用して多重連結を設定する装置に適用される多重連結方法において、
デッド状態でユーザの連結要求を受信すれば、設定状態に遷移する第1ステップと、
前記設定状態でリンク制御プロトコルを使用してリンク設定を行って、リンク設定に失敗すれば、前記デッド状態に遷移し、リンク設定に成功すれば、ネットワーク状態に遷移する第2ステップと、
前記ネットワーク状態でネットワーク制御プロトコルを利用して上位階層メッセージを伝送した後に、伝送が完了すれば、終了状態に遷移する第3ステップと、
無線通信網におけるソフトハンドオフを可能にするために、前記ネットワーク状態で新しい連結要求を受信すれば、前記設定状態に遷移してリンク制御プロトコルを使用して新しいリンクを設定する過程から繰り返し行って一対多(1:N)連結が可能にする第4ステップと
を有することを特徴とする二つの地点間のプロトコルにおける多重連結方法。
【請求項１５】
前記リンク設定に成功すれば、ユーザの連結設定に対して認証を行って、認証が失敗すれば、終了状態に遷移し、認証が成功的に行われば、ネットワーク状態に遷移する第5ステップをさらに有することを特徴とする請求項14に記載の二つの地点間のプロトコルにおける多重連結方法。
【請求項１６】
前記第4ステップ後に、前記ネットワーク状態に遷移し、ネットワーク制御信号に応じて前記上位階層メッセージを伝送する第6ステップをさらに有することを特徴とする請求項14に記載の二つの地点間のプロトコルにおける多重連結方法。
【請求項１７】
プロセッサを備えた二つの地点間のプロトコルを利用する多重連結装置に、
デッド状態でユーザの連結要求を受信すれば、設定状態に遷移する第1機能と、
前記設定状態でリンク制御プロトコルを使用してリンク設定を行って、リンク設定に失敗すれば、前記デッド状態に遷移し、リンク設定に成功すれば、ネットワーク状態に遷移する第2機能と、
前記ネットワーク状態でネットワーク制御プロトコルを利用して上位階層メッセージを伝送した後に、連結を解除し、終了状態を経て前記デッド状態に遷移する第3機能と、
無線通信網におけるソフトハンドオフを可能にするために、前記ネットワーク状態で新しい連結要求を受信すれば、前記設定状態に遷移して、リンク制御プロトコルを使用して新しいリンクを設定する過程から繰り返し行って一対多(1:N)連結が可能にする第4機能と
を実現させるためのプログラムを記録したコンピュータで読み出すことのできる記録媒体。
【発明の詳細な説明】
【０００１】
【発明が属する技術分野】
本発明は、多重連結方法に関し、さらに詳細には、既存の一対一(1:1)連結を有する二つの地点間のプロトコル(PPP)に、多重処理(Multi Processing)概念を導入して一対多(1:N)連結を可能にする多重連結方法及び前記方法を実現させるためのプログラムを記録したコンピュータで読み出すことのできる記録媒体に関する。
【０００２】
【従来の技術】
図１は、既存の次世代移動通信(IMT-2000)システムにおけるインターネットプロトコル(IP)網の接続に対する概念図である。
【０００３】
図１に示すような既存の次世代移動通信(IMT-2000)システムでは、ソフトハンドオフ(Soft Handoff)が大きい長所であって、通話の移動性、通話品質及び呼の安定性等が保障される。
【０００４】
しかし、現在、次世代移動通信システムに関する国際標準化会議の二大グループである３ＧＰＰ(3rd Generation Partnership Project)と、３ＧＰＰ２(3rd Generation Partnership Project2)とでは、３世代(3G)移動通信網を構成する各システム間の全ての連結をインターネットプロトコル(IP:Internet Protocol)を介して具現する次世代移動通信網（以下、「ＡＬＬ ＩＰ網」という）に対して具体的に議論しており、２０００年度の規格には、ＡＬＬ ＩＰ網の具現のための規格が含まれると見られる。ＡＬＬ ＩＰは、既存の移動ＩＰ(MOBILE IP)とＶＯＩＰとに基づいて研究が進められている。
【０００５】
移動ＩＰ(MOBILE IP)では、ＩＰ階層でのアドレス変換技法として二段(two-tier）アドレス体系を採択する。前記二段アドレスは、第１番目のアドレスである経路配分と伝達方法に用いられるＣＯＡ(Care-Of Address)と、第２番目のアドレスである移動ホストを識別しセッション連結に用いられる移動ホスト固有のホームアドレス(Home Address:固定IPアドレス)とから構成される。
【０００６】
移動ホストは、既存の固定ホストのように、ホスト名前に対応する固有のインターネットアドレスをホームアドレスとして有し、これと共にＣＯＡという、移動ホストがネットワークを移動しながら変更されるアドレスを実際パケットの伝達地点として有するのである。
【０００７】
図２は、ＡＬＬ ＩＰ網でのＰＤＳＮ(Packet Data Serving Node)と移動端末器(MS)との間のＰＰＰ(Point to Point Protocol)接続に対する概念図であって、図３は、ＡＬＬ ＩＰ網における基地局(BTS)と移動端末器(MS)との間のＰＰＰ接続に対する概念図である。
【０００８】
図２に示すように、既存の次世代移動通信(IMT-2000)システムをＡＬＬ ＩＰ網に適用させるために、既存の無線インターネットプロトコル(Wireless IP)概念を導入することとなり、これに伴って移動端末器(MS:Mobile Station)とPDSNとの間にＰＰＰ接続(Connection)を結ぶこととなる。
【０００９】
ところが、IETF(International Engineering Task Force)による定義に従えば、ＰＰＰ(Point to Point Protocol)は、一対一(1:1)連結のみが支援される。したがって、一対多連結が必要なソフトハンドオフ(Soft Handoff)を支援し得なくなる。したがって、既存の次世代移動通信システムがＡＬＬ ＩＰ網に変化しようとするならば、多くの長所中の一つであるソフトハンドオフを生かすために、一対多の連結が可能となるようにＰＰＰ技術を改善する必要がある。
【００１０】
特に、図３に示すように、ＡＬＬ ＩＰ網で移動端末器(MS)とのＰＰＰピア(Peer)が基地局(BTS)に下りていく場合には、ハンドオフがさらに頻繁に起きることとなるので、ソフトハンドオフを支援するために、一対多の連結が可能となるように、ＰＰＰ技術を改善する必要性がさらに高まる。
【００１１】
現在インターネット・エンジニアリング・タスク・フォース (International Engineering Task Force: IETF)では、移動ＩＰサービスのために、移動ノード、ホームエージェント、外部エージェントのような三つの構成要素を定義している。図４は、従来の外部エージェント下で移動ノードへのパケットルーチングを説明する図面であって、符号４０５は、ＩＰクラウド(claud)を示す。
【００１２】
図４に示すように、移動ノードは、移動性サービスを支援するホスト４０７であって、移動ノードは、自分のＩＰアドレスを変更せず、ネットワーク間を移動し得るし、自分の固定ＩＰアドレスでインターネットの他のノードと継続的に通信できる。
【００１３】
そして、ホームエージェント(HA:Home Agent)４０９は、移動ノードの現在のＣＯＡとホームアドレスを管理する移動ノードのホームネットワークに属するエージェントであって、移動ノードであるホスト４０７からデータグラム(datagram)が伝送され、また伝送されたデータグラムをＩＰクラウド４０５とルータ４１１とを介してトンネリング(tunneling)させて移動端末器４１３に伝送する。すなわち、ホームエージェント４０９は、移動ノードが外部ネットワークにあるとき、移動ノードのデータグラムを移動ノードが現在属するネットワークに伝達するために、トンネリングさせる機能を実行する。
【００１４】
次に、外部エージェント(FA:Foreign Agent)４０３は、移動ノードであるホスト４０７が外部ネットワークに属する時、ＣＯＡを附与するエージェントであって、自分のＩＰアドレスをＣＯＡに附与するか、または臨時ＩＰアドレスに附与可能である。これによって、外部エージェント４０３は、自身のサービスエリアに移動ノードが入った時、これらの移動ノードに対するルーチング(routing)サービスを提供し、移動ノードのホームエージェント４０９からトンネリングされて伝送されたデータグラムをデトンネリング(detunneling)して移動ノードに送る。そして、移動ノードから伝送されたデータグラムに対しては、外部エージェント４０３が既存ゲートウェイサービス(gateway service)を提供する。
【００１５】
すなわち、図４に示すように、移動端末器４０１がホームエージェント４０９ではない外部エージェント４０３下にある場合にも、移動ノードであるホスト４０７は、移動端末器４０１が依然としてホームエージェント４０９にあることと誤認してホームエージェント４０９にデータグラムを伝送することとなる。ホームエージェント４０９は、伝送されたデータグラムをトンネリングさせてＩＰクラウド４０５を介して外部エージェント４０３に伝送することとなり、外部エージェント４０３は、最終的に移動端末器４０１にデータグラムを伝送する。
【００１６】
図５は、従来の移動インターネットプロトコルの基本プロトコルスタックの構造図である。
【００１７】
図６を参照しながら既存のＰＰＰ状態処理手続きを説明する。
【００１８】
図６は、従来のＰＰＰ(Point to Point Protocol)の状態を示す状態遷移図である。
【００１９】
図６に示すように、ＰＰＰは、例えば、キャリア検出及びネットワーク管理者のような外部イベント(event)が物理層が利用可能であることを表せば、リンク(link)設定状態６０３を開始し、そうでなければデッド(dead)状態６０１に残る。
【００２０】
リンク設定状態６０３では、リンク設定が失敗すれば、前記デッド状態６０１に移り、そうでなければ、リンク制御プロトコルを使用してリンク設定が行われ、リンクが開放される。
【００２１】
次いで、ＰＰＰは、認証(authenticate)状態６０５に進行し得る。前記認証状態６０５は、選択的なものであって、ピア(Peer)が特定の認証プロトコルを利用して認証を行う。前記認証が成功するか、または前記認証状態６０５がない場合に、ＰＰＰはネットワーク状態６０７に進行して各々のネットワーク階層プロトコルを完成することとなる。前記ネットワーク状態６０７は、適切なネットワーク制御プロトコルによって行われる。
【００２２】
最後に、ネットワーク状態６０７が完了するか、または前記認証状態６０５における認証が失敗すれば、ＰＰＰは、終了状態６０９に進行してＰＰＰ過程を終了することとなるが、前記認証状態６０５における認証が失敗して終了状態６０９に進行する場合には、ネットワーク階層プロトコルを構成しないまま終了することとなる。次いで、ＰＰＰは、前記デッド状態６０１に進行して所定のイベントがない間には、前記デッド状態６０１に続けて留まることとなる。
【００２３】
前述したように、既存のＰＰＰセッションは、リンク制御プロトコル状態を経て、その後に認証状態を経た後、最後にネットワーク制御状態を経た後に、ネットワークデータグラムを伝送する。このネットワークデータグラムは、各々の伝送過程でＰＰＰカプセル化及びＰＰＰ逆カプセル化過程を経る。
【００２４】
【発明が解決しようとする課題】
しかし、前記のような従来の技術は、携帯用端末器のように、移動性が頻繁な環境で用いられる場合を考慮して作られたものでないので、前記技術を携帯用端末器にそのまま使用する場合には、種々の問題点が発生し得るし、特に、ソフトハンドオフの場合に、既存のＰＰＰ技術では支援できない問題点がある。
【００２５】
その理由は、移動端末器と外部エージェントとの間がＰＰＰ連結に基づいてその連結上にデータグラムが伝送されるが、ＰＰＰが一対一(1:1)連結のみを支援し得るし、ソフトハンドオフに必要な一対多(1:N)の連結が支援できないためである。すなわち、ＰＰＰの各ピアは、移動端末器と外部エージェントとなり、この間は、一つの連結のみが可能であるので、外部エージェント間のソフトハンドオフは支援されない。したがって、ソフトハンドオフのためには、一対多の連結が可能となるようにＰＰＰ技術を改善する必要がある。
【００２６】
そこで、本発明の目的は、上記従来の問題点に鑑みてなされたものであって、二つの地点間プロトコル(ＰＰＰ)で一対多(1:N)連結が可能となるようにする多重連結方法及び前記方法を実現させるためのプログラムを記録したコンピュータで読み出すことのできる記録媒体を提供することにある。
【００２７】
【課題を解決するための手段】
上記目的を達成するため、本発明は、ＡＬＬ  ＩＰ通信網の物理層から受信したデータグラムをPPP(point-to point protocol)によってネットワーク階層に伝送するPPP(point-to-point protocol)セッションを有する装置におけるデータグラムを伝送する方法において、少なくとも二つの前記PPPセッションを設定する第1ステップと、前記物理層から受信したデータグラムの各々を前記少なくとも二つのPPPセッションに応じて区分して該当するPPPセッションに伝送する第2ステップと、前記少なくとも二つのPPPセッションの各々により受信したデータグラムを処理する第3ステップと、前記第3ステップで処理されたデータグラムの中で該当するデータグラムを選択して、前記ネットワーク階層と前記少なくとも二つのPPPセッションとの間に設定された一対多(1:N)連結を介して、前記ネットワーク階層に伝送する第4ステップと、を有することを特徴とする。
【００２８】
また、上記目的を達成するため、本発明は、ＡＬＬ  ＩＰ通信網の物理層から受信したデータグラムをPPP(point-to point protocol)によってネットワーク階層に伝送するPPP(point-to-point protocol)セッションを有する装置におけるデータグラムを伝送する方法を実現させるためのプログラムを記録したコンピュータで読み出すことのできる記録媒体において、前記方法が、少なくとも二つの前記PPPセッションを設定する第1ステップと、前記物理層から受信したデータグラムの各々を前記少なくとも二つのPPPセッションに応じて区分して該当するPPPセッションに伝送する第2ステップと、前記少なくとも二つのPPPセッションの各々により受信したデータグラムを処理する第3ステップと、前記第3ステップで処理されたデータグラムの中で該当するデータグラムを選択して、前記ネットワーク階層と前記少なくとも二つのPPPセッションとの間に設定された一対多(1:N)連結を介して、前記ネットワーク階層に伝送する第4ステップと、を有することを特徴とする。
【００２９】
また、上記目的を達成するため、本発明は、ＡＬＬ  ＩＰ通信網の物理層から受信したデータグラムをPPP(point-to point protocol)によってネットワーク階層に伝送するPPP(point-to point protocol)セッションを有する装置において、
複数の前記PPPセッションを有するPPPセッション部と、
前記PPPセッション部の上部に階層的に位置し、前記PPPセッション部から伝送されるデータグラムの中で該当するデータグラムを選択して、前記ネットワーク階層と前記PPPセッションとの間に設定された一対多連結を介して、前記ネットワーク階層に伝送する第1管理プレーンと、
前記PPPセッション部の下部に階層的に位置し、前記物理層から受信した前記データグラムを区分して前記データグラムの各々を前記PPPセッション部の中で前記データグラムに該当するPPPセッションの一つに伝送する第2管理プレーンと、を有することを特徴とする。
【００３０】
また、上記目的を達成するため、本発明は、二つの地点間のプロトコルにおける多重連結を設定する装置に適用される多重連結方法において、デッド(dead)状態でユーザの連結要求を受信すると、設定(Establish)状態に遷移する第１ステップと、前記設定状態でリンク制御プロトコル(link control protocol)を使用してリンク設定を行ってリンク設定に失敗した場合、前記デッド状態に遷移し、リンク設定に成功した場合、ネットワーク状態に遷移する第２ステップと、前記ネットワーク状態でネットワーク制御プロトコルを利用して上位階層メッセージを伝送した後、伝送が完了した場合、終了状態に遷移する第３ステップと、無線通信網でソフトハンドオフ(Soft Handoff)を可能にするために、前記ネットワーク状態で新しい連結要求を受信した場合、サブ状態(Sub-State)を駆動して多重処理を行って一対多(1:N)の連結を可能にする第４ステップと、前記終了状態で多重連結された数分繰り返して連結を切った後に、前記デッド状態に遷移する第５ステップとを有することを特徴とする。
【００３１】
また、上記目的を達成するため、本発明は、プロセッサを備えた二つの地点間のプロトコルの多重処理を利用する多重連結装置に、デッド(dead)状態でユーザの連結要求を受信すると、設定状態に遷移する第１機能と、前記設定状態でリンク制御プロトコルを使用してリンク設定を行って、リンク設定に失敗した場合、前記デッド状態に遷移し、リンク設定に成功した場合、ネットワーク状態に遷移する第２機能と、前記ネットワーク状態でネットワーク制御プロトコルを利用して上位階層メッセージを伝送した後に、伝送が完了した場合、終了状態に遷移する第３機能と、無線通信網におけるソフトハンドオフを可能にするために、前記ネットワーク状態で新しい連結要求を受信した場合、サブ状態(Sub-State)を駆動して多重処理を行って一対多(1:N)連結を可能にする第４機能と、前記終了状態で多重連結された数分繰り返して連結を切った後に、前記デッド状態に遷移する第５機能とを実現させるためのプログラムを記録したコンピュータで読み出すことのできる記録媒体が提供される。
【００３２】
また、上記目的を達成するため、本発明は、二つの地点間のプロトコルを利用して多重連結を設定する装置に適用される多重連結方法において、デッド状態でユーザの連結要求を受信すると、設定状態に遷移する第１ステップと、前記設定状態でリンク制御プロトコルを使用してリンク設定を行って、リンク設定に失敗した場合、前記デッド状態に遷移し、リンク設定に成功した場合、ネットワーク状態に遷移する第２ステップと、前記ネットワーク状態でネットワーク制御プロトコルを利用して上位階層メッセージを伝送した後に、伝送が完了した場合、終了状態に遷移する第３ステップと、無線通信網におけるソフトハンドオフを可能にするために、前記ネットワーク状態で新しい連結要求を受信した場合、前記設定状態に遷移してリンク制御プロトコルを使用して新しいリンクを設定する過程から繰り返し行って一対多(1:N)連結を可能にする第４ステップとを有することを特徴とする。
【００３３】
また、上記目的を達成するため、本発明は、プロセッサを備えた二つの地点間のプロトコルを利用する多重連結装置に、デッド状態でユーザの連結要求を受信すると、設定状態に遷移する第１機能と、前記設定状態でリンク制御プロトコルを使用してリンク設定を行って、リンク設定に失敗した場合、前記デッド状態に遷移し、リンク設定に成功した場合、ネットワーク状態に遷移する第２機能と、前記ネットワーク状態でネットワーク制御プロトコルを利用して上位階層メッセージを伝送した後に、連結を解除し、終了状態を経て前記デッド状態に遷移する第３機能と、無線通信網におけるソフトハンドオフを可能にするために、前記ネットワーク状態で新しい連結要求を受信した場合、前記設定状態に遷移して、リンク制御プロトコルを使用して新しいリンクを設定する過程から繰り返し行って一対多(1:N)連結を可能にする第４機能とを実現させるためのプログラムを記録したコンピュータで読み出すことのできる記録媒体が提供される。
【００３４】
【発明の実施の形態】
以下、本発明が属する技術分野で通常の知識を有するものが本発明の技術的思想を容易に実施できる程度に詳細に説明するため、本発明の最も好ましい実施の形態を添付した図面を参照しながら説明する。
【００３５】
（第１の実施形態）
まず、図７ないし１１を参照しながら、本発明の一実施形態にかかるＰＰＰを改善したデータグラム伝送装置について説明する。図７は、本発明の一実施形態にかかるＰＰＰを改善したデータグラム伝送装置におけるＰＰＰスタック構造図、図８及び９は、上記図７のデータグラムを伝送する装置の動作を説明する図面、図１０及び１１は、上記データグラムを伝送する装置におけるデータグラム伝送方法を説明するフローチャートである。
【００３６】
上記図７に示すように、本発明にかかるＰＰＰを改善したデータグラムを伝送する装置におけるＰＰＰスタック(stack)構造は、第１管理プレーン(plain)７０３、ＰＰＰセッション部(session unit)７０５及び第２管理プレーン７０７を備える。
【００３７】
上記ＰＰＰセッション部７０５は、図２と関連して詳述したように、所定の外部イベントにより上記ＰＰＰセッション部７０５の下位層７０９である物理層が利用可能であると表示される場合には、上記下位層７０９からデータグラムを受信して、上記ＰＰＰによってリンクを設定し、開放して上記データグラムを上位層７０１であるネットワーク階層に伝送するＰＰＰセッションを複数個有する。この場合、上記ＰＰＰセッションは、伝送するデータグラムを逆カプセル化(decapsulization)する。
【００３８】
上記第１管理プレーン７０３は、上記ＰＰＰセッション部７０５の上部に位置して、上記ＰＰＰセッション部７０５から伝送された逆カプセル化されたデータグラムの中からいずれか一つを選択して上位層７０１であるネットワーク階層に伝送する。この場合、上記第１管理プレーン７０３は、図５に示すように、上記ＰＰＰセッション部７０５から受信した逆カプセル化されたデータグラムを受信した後（図１０のS1001）、受信したデータグラムを相互比較して検証し（S1003）、もし、誤りがあるデータグラムが発見されれば、そのデータグラムを破棄し（S1005）、残りのデータグラムの中で、例えば、ネットワーク制御プロトコルに応じて、一つのデータグラムを選択して（S1007）、これを上位層７０１であるネットワーク階層に伝送する（S1009）。
【００３９】
上記第２管理プレーン７０７は、上記ＰＰＰセッション部７０５の下部に位置し、上記下位層７０９である物理層から入力されるデータグラムを受信し区分して、上記ＰＰＰセッション部７０５のうちの、該当するＰＰＰセッションに上記データグラムを伝送する。すなわち、図６に示すように、上記第２管理プレーン７０７は、受信したデータグラムを無秩序に上記ＰＰＰセッション部７０５に伝送するのではなく、まず、データグラムを上記ＰＰＰセッション部７０５に含まれた各々のＰＰＰセッションに応じて区分した後（図１１のS1101）、該当するＰＰＰセッションにデータグラムを伝送する（S1103）。
【００４０】
このように、上記第１及び第２管理プレーン７０３及び７０７は、図８及び図９に示すように、上記ＰＰＰセッション部８０３に含まれた各々のＰＰＰセッションと個別的に相互作用をするが、全体的にみて、まるで一つのＰＰＰセッションと相互作用するように見える。このように、ＰＰＰセッションを複数個有することによって、ＰＰＰを利用してデータグラムを伝送する時、一対多の連結が可能であり、共に、上記複数のＰＰＰセッションを全て管理し得る管理部を上記ＰＰＰセッション部の上、下部に位置させることによって、複数のＰＰＰセッションを容易に管理することができる。
【００４１】
（第２の実施形態）
図１２は、本発明にかかる二つの地点間のプロトコルにおける多重処理を利用した多重連結方法に関する一実施形態のフローチャートである。
【００４２】
図１２に示すように、本発明は、一対多(1:N)の連結が不可能であった既存のＰＰＰを改善するために、サブ状態(Sub State)を駆動して複数回のＰＰＰ連結を可能にした多重連結方法に関するものである。すなわち、本発明は、デッド状態(Dead State)１２０１、設定状態(Establish State)１２０３、認証状態(Authenticate State)１２０５、ネットワーク状態(Network State)１２０７及び終了状態(Terminate Sate)１２１５を備えるが、上記ネットワーク状態１２０７の中にサブ設定状態１２０９、サブ認証状態１２１１及びサブ終了状態１２１３を有する。
【００４３】
この場合、設定状態１２０３では、ＰＰＰリンクを連結し制御する機能を実行し、認証状態１２０５では、連結が可能であるかを認証し、ネットワーク状態１２０７では、ＰＰＰ連結が完了した状態でネットワーク連結を管理し、新しい連結要求を受信した場合、サブ状態に進入して上記設定状態１２０３及び認証状態１２０５のようなサブ設定状態１２０９とサブ認証状態１２１１とを駆動し、これを多重処理する。また、複数個で連結されている中に、連結解除要請を受信した場合、サブ終了状態１２１３に進んで該当連結を解除する。終了状態１２１５では、連結を切る機能を実行し、これもやはり多重数によって複数回繰り返す。
【００４４】
以下では、上述した多重連結方法に対する処理手続きをより具体的に述べる。
【００４５】
まず、デッド状態１２０１では、ユーザの連結要求を受信すると、設定状態１２０３に遷移する。
【００４６】
その後、設定状態１２０３では、リンク制御プロトコルを使用してリンク設定を行い、リンク設定に失敗すれば、連結を設定せず、デッド状態１２０１に遷移し、リンク設定に成功すれば、リンクが開放され認証状態１２０５に遷移する。
【００４７】
その後、認証状態１２０５では、ユーザの連結設定要求に対してＰＰＰ連結が可能であるかを認証して、認証が失敗すれば、連結を設定せず終了状態１２１５に遷移し、認証が成功裡に行われれば、ネットワーク状態１２０７に遷移する。この場合、上記認証状態１２０５は選択的な事項である。
【００４８】
その後、ネットワーク状態1207では、ネットワーク制御プロトコルを利用して上位階層メッセージを伝送しPPP連結を維持管理する。すなわち、ネットワーク状態1207では、データグラムは、ネットワーク制御プロトコルにより上位階層に伝送され、そしてPPP連結は維持管理されることになるのである。
【００４９】
もし、前記ネットワーク状態1207で新しいPPP連結要求を受信すれば、サブ状態を駆動して多重処理を行う。すなわち、前記サブ状態は、タイムスケジューラ(time scheduler)から受信した制御信号に応じて駆動することにより、多重処理を行うものである。
【００５０】
すなわち、サブ設定状態１２０９では、リンク制御プロトコルを使用して新しいリンク設定を行ってリンク設定に失敗すれば、連結を設定せずネットワーク状態１２０７に遷移し、リンク設定に成功すれば、リンクが開放されサブ認証状態１２１１に遷移する。
【００５１】
サブ認証状態１２１１では、ユーザの新しい連結設定要求に対して、ＰＰＰ連結が可能であるかを認証しネットワーク状態１２０７に遷移する。この場合、上記サブ認証状態１２１１は、選択的な事項である。
【００５２】
複数個で連結されている上記ネットワーク状態１２０７で連結解除要請を受信すれば、サブ終了状態１２１３を駆動してＰＰＰ連結を切る。
【００５３】
もし、ネットワーク状態１２０７が完了すれば、連結を解除した後、終了状態１２１５に遷移する。その後、終了状態１２１５では、多重連結した数分繰り返しＰＰＰ連結を切った後に、上記デッド状態１２０１に進行して所定のイベントがない間には、上記デッド状態１２０１に続けて留まることとなる。
【００５４】
（第３の実施形態）
図１３は、本発明にかかるＰＰＰ(Point to Point Protocol)の状態を示す状態遷移図である。
【００５５】
まず、デッド(dead)状態１３０１では、ユーザの連結要求を受信すれば、設定状態１３０３に遷移する。
【００５６】
その後、設定状態１３０３では、リンク制御プロトコルを使用してリンク設定を行い、リンク設定に失敗すれば、連結を設定せずデッド状態１３０１に遷移し、リンク設定に成功すれば、リンクが開放されて認証状態１３０５に遷移する。
【００５７】
その後、認証状態１３０５では、ユーザの連結設定に対して認証を行って認証が失敗すれば、連結を設定せず終了状態１３０９に遷移し、認証が成功裡に行われれば、ネットワーク状態１３０７に遷移する。この場合、上記認証状態１３０５は、選択的な事項である。
【００５８】
その後、ネットワーク状態１３０７では、ネットワーク制御プロトコルを利用して上位階層メッセージを伝送する。その後、ネットワーク状態１３０７が完了すれば、連結を解除した後に、終了状態１３０９に遷移する。
【００５９】
もし、上記ネットワーク状態１３０７で新しい連結要求を受信すれば、上記設定状態１３０３に遷移してリンク制御プロトコルを使用して新しいリンクを設定する過程から繰り返し行う。
【００６０】
その後、終了状態１３０９では、上記デッド状態１３０１に進行して所定のイベントがない間には、上記デッド状態１３０１に続けて留まることとなる。
【００６１】
尚、本発明の技術思想は、上記好ましい実施形態によって具体的に記述されたが、上記した実施形態はその説明のためのものであって、その制限のためのものでないことに留意されるべきである。また、本発明の技術分野の通常の専門家であるならば、本発明の技術思想の範囲内で種々の実施形態が可能であることを理解されるべきである。
【００６２】
【発明の効果】
上記のようになされる本発明は、現在３ＧＰＰ、３ＧＰＰ２で主要標準化問題として考慮しているＡＬＬ ＩＰに基づく次世代移動通信(IMT-2000)システムの構成において、基地局(BTS)がＰＰＰの終端となる場合に、ソフトハンドオフ処理を可能にするための方法に用いることができる。すなわち、本発明は、ＡＬＬＩＰ網における基地局が移動通信端末器のＰＰＰピア(Peer)となる場合に、效果的にソフトハンドオフを支援することができるという効果がある。
【００６３】
また、本発明によれば、上記のように、ＡＬＬ ＩＰ網におけるソフトハンドオフが容易にすることによって、ＡＬＬ ＩＰ網における通信サービス品質を高めることができ、これにより加入者増加が誘導されるという効果がある。
【図面の簡単な説明】
【図１】既存の次世代移動通信(IMT-2000)システムにおけるインターネットプロトコル(IP)網接続に関する概念図である。
【図２】ＡＬＬ ＩＰ網におけるＰＤＳＮと移動端末器(MS)との間のＰＰＰ(Point to Point Protocol)接続に関する概念図である。
【図３】ＡＬＬ ＩＰ網における基地局(BTS)と移動端末器(MS)との間のＰＰＰ接続に関する概念図である。
【図４】従来の外部エージェント下で移動ノードへのパケットルーチングを説明するための説明図である。
【図５】従来の移動インターネットプロトコルの基本プロトコルスタックの構造図である。
【図６】従来のＰＰＰ(Point to Point Protocol)の状態を示す状態遷移図である。
【図７】本発明の一実施例にかかるＰＰＰを改善したデータグラム伝送装置におけるＰＰＰスタック構造図である。
【図８】図７のデータグラム伝送装置の動作を説明するための図である。
【図９】図７のデータグラム伝送装置の動作を説明するための図である。
【図１０】図７のデータグラム伝送装置のデータグラム伝送方法を説明するためのフローチャートである。
【図１１】図７のデータグラム伝送装置のデータグラム伝送方法を説明するためのフローチャートである。
【図１２】本発明にかかるＰＰＰの状態を示す状態遷移図である。
【図１３】本発明にかかるＰＰＰの状態を示す状態遷移図である。
【符号の説明】
１０１、２０１、３０１、４０１、４１３  移動端末器
１０３、２０３、３０３  基地局
１０５  基地局制御器
１０７  移動交換局
１０９  ＩＷＦ
１１１  インターネット
２０５  ＰＤＳＮ
４０３  外部エージェント
４０５、４１１  ルータ
４０７  ホスト
４０９  ホームエージェント
７０１  上位層
７０３、７０７、８０１、９０１  管理プレーン
７０５、９０３  ＰＰＰセッション部
７０９  下位層
８０３  ＰＰＰセッション
【図１】
0003645498.tif 000002
【図２】
0003645498.tif 000003
【図３】
0003645498.tif 000004
【図４】
0003645498.tif 000005
【図５】
0003645498.tif 000006
【図６】
0003645498.tif 000007
【図７】
0003645498.tif 000008
【図８】
0003645498.tif 000009
【図９】
0003645498.tif 000010
【図１０】
0003645498.tif 000011
【図１１】
0003645498.tif 000012
【図１２】
0003645498.tif 000013
【図１３】
0003645498.tif 000014